(57)【要約】【課題】  従来は、過去の故障の状況を参照して事前に同様の故障を回避することができなかった。【解決手段】  本発明では、伝送装置は、メインの伝送処理を行う運用系回路部と、運用系回路部と同じ機能の予備系回路部と、故障の発生を検出する故障検出部と、運用系回路を予備系回路に切り替える予備切替部と、通信部と、故障検出時に監視サーバ装置に故障警報を送信すると共に伝送装置の各部の動作を制御する制御部とで構成され、監視サーバ装置は、伝送装置で過去に発生した故障統計情報，環境情報および使用部品情報を保持するデータベースと、通信部と、通信部が伝送装置から故障警報を受信した時に、類似環境下で同じ部品が使用されている他の伝送装置を検索する検索部と、検索部の検索結果を解析する解析部と、解析部の解析結果に応じて故障の可能性を予測する予測部とで構成される。【選択図】図１
2011138251.tif 000002
【特許請求の範囲】
【請求項１】
複数の伝送装置と、前記複数の伝送装置の動作を監視する監視サーバ装置とがネットワークを介して互いに接続された監視制御ネットワークシステムにおいて、
前記伝送装置は、
メインの伝送処理を行う運用系回路部と、
前記運用系回路部と同じ機能の予備系回路部と、
故障の発生を検出する故障検出部と、
前記運用系回路を前記予備系回路に切り替える予備切替部と、
前記監視サーバ装置との間で制御情報を送受信する通信部と、
前記故障検出部が故障を検出した時に前記監視サーバ装置に故障警報を前記通信部から送信すると共に、前記伝送装置の各部の動作を制御する制御部と
で構成され、
前記監視サーバ装置は、
前記伝送装置で過去に発生した故障統計情報，環境情報および使用部品情報を保持するデータベースと、
前記伝送装置との間で制御情報を送受信する通信部と、
前記通信部が前記伝送装置から故障警報を受信した時に、前記故障警報に含まれる故障部品情報から前記データベースを参照して類似環境下で同じ部品が使用されている他の伝送装置を検索する検索部と、
前記検索部の検索結果を解析する解析部と、
前記解析部の解析結果に応じて故障の可能性を予測する予測部と
で構成されることを特徴とする監視制御ネットワークシステム。
【請求項２】
請求項１に記載の監視制御ネットワークシステムにおいて、
前記監視サーバ装置に、前記予測部が故障の可能性があると予測した前記伝送装置に対して予備系回路に切り替えるよう指示する予備切替指示コマンドを送信する予備切替指示部を更に設け、
前記伝送装置の前記制御部は、前記監視サーバ装置から前記予備切替指示コマンドを前記通信部で受信した時に前記予備切替部によって予備系回路に切り替えることを特徴とする監視制御ネットワークシステム。
【請求項３】
請求項１または２に記載の監視制御ネットワークシステムにおいて、
前記解析部は、過去の所定期間の類似故障の発生回数が閾値以上あるか否かを判定し、
前記予測部は、前記解析部の解析結果が閾値以上である場合に、前記検索部が抽出した類似環境下で同じ部品が使用されている他の伝送装置で同様の故障が発生する可能性が高いと予測することを特徴とする監視制御ネットワークシステム。
【請求項４】
請求項１から３のいずれか一項に記載の監視制御ネットワークシステムにおいて、
前記データベースの情報を逐次更新する情報更新部を更に設けたことを特徴とする監視制御ネットワークシステム。
【請求項５】
請求項１から４のいずれか一項に記載の監視制御ネットワークシステムにおいて、
前記データベースは、使用パーツ情報データベースと、環境情報データベースと、パーツ故障統計情報データベースとで構成されることを特徴とする監視制御ネットワークシステム。
【請求項６】
請求項５に記載の監視制御ネットワークシステムにおいて、
前記検索部は、前記使用パーツ情報データベースを参照して故障パーツと同一のパーツを検索する同一パーツ検索部と、前記環境情報データベースを参照して故障パーツと同一の環境情報のパーツを検索する同一環境検索部とで構成されることを特徴とする監視制御ネットワークシステム。
【請求項７】
請求項６に記載の監視制御ネットワークシステムにおいて、
前記同一パーツ検索部は、使用パーツ情報データベースに格納されたパーツ名とパーツ固有情報（シリアル番号、製造日、ロット）が同一のパーツを検索することを特徴とする監視制御ネットワークシステム。
【請求項８】
請求項６に記載の監視制御ネットワークシステムにおいて、
前記同一環境検索部は、環境情報データベースに格納された前記伝送装置の設置場所，温度，湿度，運用時間が所定範囲内の伝送装置を検索することを特徴とする監視制御ネットワークシステム。
【請求項９】
請求項２から８のいずれか一項に記載の監視制御ネットワークシステムにおいて、
前記伝送装置は、前記監視サーバ装置から予備切替指示コマンドを受信した場合に予備切替中モードに移行し、
前記監視サーバ装置は、予備切替指示コマンドを送信した前記伝送装置を予備切替中一覧情報として保持し、保守端末へ通知を行う
ことを特徴とする監視制御ネットワークシステム。
【請求項１０】
請求項９に記載の監視制御ネットワークシステムにおいて、
前記伝送装置に、予備切替前の回路が交換された場合に予備切替後の回路から交換後の回路に切り替える予備切り戻し部を更に設け、
前記伝送装置は、前記予備切り戻し部が交換後の回路に切り替えた場合に予備切替中モードを解除し、前記監視サーバ装置へ予備切り戻し完了通知を送信し、
前記監視サーバ装置は、前記予備切り戻し完了通知を受信した場合に前記予備切替中一覧から該当伝送装置を削除する
ことを特徴とする監視制御ネットワークシステム。
【発明の詳細な説明】
【技術分野】
【０００１】
本発明は、同種類の部品を有する複数の伝送装置を管理する監視制御ネットワークシステムに関し、特に部品故障の発生を予測する技術に関する。
【背景技術】
【０００２】
一般的な伝送装置は、常に動作する運用系の回路以外に予備系の回路を備えており、部品故障などが発生した時に自動的に予備系の回路に切り替えて通信が中断しないようにしている。また、故障発生時に伝送装置から監視サーバに故障情報を通知し、監視サーバ側で故障の原因を解析するようになっている。例えば、監視サーバは、監視制御ネットワークに接続されている伝送装置の過去の故障発生日時や故障の状況（回路基盤や部品など）をデータベース化しておき、新たに伝送装置から故障情報が通知された時に過去の故障原因を参照してその装置の故障個所を推定する技術が考えられている（例えば特許文献１参照）。
【先行技術文献】
【特許文献】
【０００３】
【特許文献１】特開２０００−１５５７００号公報
【発明の概要】
【発明が解決しようとする課題】
【０００４】
しかしながら、従来技術は過去の故障の状況を参照して新たに発生する故障の原因や故障箇所を推定するだけで、事前に故障を回避することは考えられていなかった。このため、同様の故障が同種類の伝送装置で起こる可能性があるにもかかわらず有効に利用されていないという問題があった。
【０００５】
上記課題に鑑み、本発明の目的は、過去の故障の状況を参照して事前に同様の故障を回避することできる監視制御ネットワークシステムを提供することである。
【課題を解決するための手段】
【０００６】
請求項１に係る発明は、複数の伝送装置と、前記複数の伝送装置の動作を監視する監視サーバ装置とがネットワークを介して互いに接続された監視制御ネットワークシステムにおいて、前記伝送装置は、メインの伝送処理を行う運用系回路部と、前記運用系回路部と同じ機能の予備系回路部と、故障の発生を検出する故障検出部と、前記運用系回路を前記予備系回路に切り替える予備切替部と、前記監視サーバ装置との間で制御情報を送受信する通信部と、前記故障検出部が故障を検出した時に前記監視サーバ装置に故障警報を前記通信部から送信すると共に、前記伝送装置の各部の動作を制御する制御部とで構成され、前記監視サーバ装置は、前記伝送装置で過去に発生した故障統計情報，環境情報および使用部品情報を保持するデータベースと、前記伝送装置との間で制御情報を送受信する通信部と、前記通信部が前記伝送装置から故障警報を受信した時に、前記故障警報に含まれる故障部品情報から前記データベースを参照して類似環境下で同じ部品が使用されている他の伝送装置を検索する検索部と、前記検索部の検索結果を解析する解析部と、前記解析部の解析結果に応じて故障の可能性を予測する予測部とで構成されることを特徴とする。
【０００７】
請求項２に係る発明は、請求項１に記載の監視制御ネットワークシステムにおいて、前記監視サーバ装置に、前記予測部が故障の可能性があると予測した前記伝送装置に対して予備系回路に切り替えるよう指示する予備切替指示コマンドを送信する予備切替指示部を更に設け、前記伝送装置の前記制御部は、前記監視サーバ装置から前記予備切替指示コマンドを前記通信部で受信した時に前記予備切替部によって予備系回路に切り替えることを特徴とする。
【０００８】
請求項３に係る発明は、請求項１または２に記載の監視制御ネットワークシステムにおいて、前記解析部は、過去の所定期間の類似故障の発生回数が閾値以上あるか否かを判定し、前記予測部は、前記解析部の解析結果が閾値以上である場合に、前記検索部が抽出した類似環境下で同じ部品が使用されている他の伝送装置で同様の故障が発生する可能性が高いと予測することを特徴とする。
【０００９】
請求項４に係る発明は、請求項１から３のいずれか一項に記載の監視制御ネットワークシステムにおいて、前記データベースの情報を逐次更新する情報更新部を更に設けたことを特徴とする。
【００１０】
請求項５に係る発明は、請求項１から４のいずれか一項に記載の監視制御ネットワークシステムにおいて、前記データベースは、使用パーツ情報データベースと、環境情報データベースと、パーツ故障統計情報データベースとで構成されることを特徴とする。
【００１１】
請求項６に係る発明は、請求項５に記載の監視制御ネットワークシステムにおいて、前記検索部は、前記使用パーツ情報データベースを参照して故障パーツと同一のパーツを検索する同一パーツ検索部と、前記環境情報データベースを参照して故障パーツと同一の環境情報のパーツを検索する同一環境検索部とで構成されることを特徴とする。
【００１２】
請求項７に係る発明は、請求項６に記載の監視制御ネットワークシステムにおいて、前記同一パーツ検索部は、使用パーツ情報データベースに格納されたパーツ名とパーツ固有情報（シリアル番号、製造日、ロット）が同一のパーツを検索することを特徴とする。
【００１３】
請求項８に係る発明は、請求項６に記載の監視制御ネットワークシステムにおいて、前記同一環境検索部は、環境情報データベースに格納された前記伝送装置の設置場所，温度，湿度，運用時間が所定範囲内の伝送装置を検索することを特徴とする。
【００１４】
請求項９に係る発明は、請求項２から８のいずれか一項に記載の監視制御ネットワークシステムにおいて、前記伝送装置は、前記監視サーバ装置から予備切替指示コマンドを受信した場合に予備切替中モードに移行し、前記監視サーバ装置は、予備切替指示コマンドを送信した前記伝送装置を予備切替中一覧情報として保持し、保守端末へ通知を行うことを特徴とする。
【００１５】
請求項１０に係る発明は、請求項９に記載の監視制御ネットワークシステムにおいて、前記伝送装置に、予備切替前の回路が交換された場合に予備切替後の回路から交換後の回路に切り替える予備切り戻し部を更に設け、前記伝送装置は、前記予備切り戻し部が交換後の回路に切り替えた場合に予備切替中モードを解除し、前記監視サーバ装置へ予備切り戻し完了通知を送信し、前記監視サーバ装置は、前記予備切り戻し完了通知を受信した場合に前記予備切替中一覧から該当伝送装置を削除することを特徴とする。
【発明の効果】
【００１６】
本発明に係る監視制御ネットワークシステムは、監視する伝送装置の設置条件などの環境情報や故障箇所および故障の発生頻度などの情報を用いて、類似する環境や発生頻度の高い同様の伝送装置で同じ故障が発生することを予測し、自動で予備系の回路に切り替えを行うことができる。これにより、事前に同様の故障発生を防止することができ、伝送装置で行われる通信の信頼性を高めることができる。
【図面の簡単な説明】
【００１７】
【図１】本実施形態に係るネットワーク管理システム１００の構成例を示すブロック図である。
【図２】使用パーツ情報ＤＢ１５３のデータ例を示す説明図である。
【図３】ＮＥ環境情報ＤＢ１５４のデータ例を示す説明図である。
【図４】パーツ故障統計情報ＤＢ１５５のデータ例を示す説明図である。
【図５】故障検出時の処理を示すフローチャートである。
【図６】故障検出時の処理のイメージを示す説明図である。
【図７】同一パーツ検索部２０１の処理を説明するための説明図である。
【図８】同一環境検索部２０２の処理を説明するための説明図である。
【図９】故障統計解析部２０３の処理を説明するための説明図である。
【図１０】予備切替時の処理のイメージを示す説明図である。
【図１１】予備切り戻し処理を示すフローチャートである。
【図１２】予備切り戻し処理のイメージを示す説明図である。
【発明を実施するための形態】
【００１８】
以下、本発明に係る「監視制御ネットワークシステム」の実施形態について図面を用いて詳しく説明する。
【００１９】
［監視制御ネットワークシステム１００の構成例］
図１は、本実施形態に係る監視制御ネットワークシステム１００の構成例である。図１において、監視制御ネットワークシステム１００は、監視サーバ装置１０１と、複数の伝送装置（ＮＥ：Ｎｅｔｗｏｒｋ  Ｅｌｅｍｅｎｔ）と、監視制御ネットワーク１０５と、保守端末１０６とで構成される。図１の例では、複数のＮＥとしてＮＥ１０２，ＮＥ１０３およびＮＥ１０４の３つのＮＥが接続されている。尚、図１は、本実施形態の特徴である監視制御を説明するための図であり、光伝送路を介して上位ネットワークや下位装置に接続するためのＮＥ本来の回路構成については、本実施形態に関係するＩＦ盤を除いて省略してある。
【００２０】
図１において、監視サーバ装置１０１は、配下のＮＥ１０２，ＮＥ１０３およびＮＥ１０４の動作を監視し、各ＮＥから送られてくる故障警報や各ＮＥに関する情報を蓄積する。特に本実施形態に係る監視制御ネットワークシステム１００では、監視サーバ装置１０１は、いずれかのＮＥで故障が発生した時に同様の故障発生を予測し、故障が発生する恐れがあると判断した場合には該当するＮＥに対して事前に予備系に切り替えるよう指示する。これにより、故障発生を未然に防止することが可能となり、伝送装置の信頼性を高めることができる。
【００２１】
次に、監視サーバ装置１０１の構成について説明する。監視サーバ装置１０１は、監視制御部１５１と、通信ＩＦ１５２と、使用パーツ情報ＤＢ１５３と、ＮＥ環境情報ＤＢ１５４と、パーツ故障統計情報ＤＢ１５５とで構成される。
【００２２】
監視制御部１５１は、予め記憶された監視制御用のプログラムに従って動作するコンピュータで構成され、監視サーバ装置１０１全体の動作を制御する。そして、配下の各ＮＥの情報を管理すると共に各ＮＥの動作を監視および制御する。
【００２３】
通信ＩＦ１５２は、監視制御部１５１が監視制御ネットワーク１０５を介して配下の各ＮＥと制御データや情報を送受信するための通信インターフェースを提供する。
【００２４】
使用パーツ情報ＤＢ１５３は、各ＮＥのＩＦ盤毎に使用されているパーツ情報を蓄積するデータベースである。ここで、パーツ情報とは、パーツ名やシリアル番号或いは製造日やロット（ＬＯＴ）番号などである。尚、パーツ情報は、主要なＬＳＩなどの部品単体毎の情報であっても構わないし、保守時の交換単位である回路ブロック毎の情報であっても構わない。また、本実施形態では、パーツＡ，パーツＢ，パーツＣ，パーツＤのように記載するが、部品単体または回路ブロックを意味するものとする。例えば、図２は使用パーツ情報ＤＢ１５３に蓄積されるパーツ情報の例を示している。図２において、装置ＩＤ：１１１（図１のＮＥ１０２に対応）のＩＦ盤ＩＤ：００１は、パーツＡと、パーツＢと、パーツＣとで構成され、例えばパーツＡのシリアル番号（Ｎｏ）はＡＡＡ−０１で製造日はｙｙｙｙ−ｍｍ−ｄｄ，ロット（Ｌｏｔ）番号は１２３４であることがわかる。そして、監視制御部１５１は、使用パーツ情報ＤＢ１５３を参照することにより、同じ部品や同じ製造日および同じロット番号のパーツが使用されている装置ＩＤおよびＩＦ盤ＩＤを容易に検索することができる。例えばパーツＡが使用されている装置ＩＤおよびＩＦ盤ＩＤは、装置ＩＤ：１１１のＩＦ盤ＩＤ：００１と、装置ＩＤ：１１１のＩＦ盤ＩＤ：００２と、装置ＩＤ：２２２のＩＦ盤ＩＤ：００１と、装置ＩＤ：３３３のＩＦ盤ＩＤ：００１と、装置ＩＤ：３３３のＩＦ盤ＩＤ：００２との５つであることがわかる。この場合、ロット番号が同じパーツＡという条件を用いると、装置ＩＤ：３３３のＩＦ盤ＩＤ：００２のパーツＡはロット番号が５６７８なので検索結果から除外される。このようにして、監視制御部１５１は、使用パーツ情報ＤＢ１５３を参照して、同様のパーツが使用されている装置ＩＤおよびＩＦ盤ＩＤを検索する。尚、各ＮＥのパーツ情報は、各ＮＥを設置する際に保守端末１０６からオペレータが入力するようにしても構わないし、各ＮＥから監視サーバ装置１０１に自動的に送信するようにしても構わない。この場合は、監視サーバ装置１０１の監視制御部１５１が各ＮＥから送られてくるパーツ情報を使用パーツ情報ＤＢ１５３に蓄積する。
【００２５】
ＮＥ環境情報ＤＢ１５４は、各ＮＥの環境情報を蓄積するデータベースである。ここで、環境情報とは、各ＮＥの設置場所条件や温度および湿度などの物理的情報や、運用系（実際に稼動中の系）のＩＦ盤ＩＤやＩＦ盤の運用時間などの情報である。尚、上記の環境情報は一例であり、設置状況や逐次変化する数値情報などの情報を環境情報として扱っても構わない。本実施形態では、例えば図３（ａ）に示すように、設置場所条件をＡ（例えば海辺）またはＢ（例えば内陸部）のいずれかとし、温度，湿度，運用系のＩＦ盤ＩＤおよび運用時間を環境情報として利用する場合について説明する。
【００２６】
図３（ａ）において、装置ＩＤ：１１１（図１のＮＥ１０２に対応）は海辺に設置され、直近のモニタ時の温度は２０℃で湿度が８０％、且つ運用系のＩＦ盤はＩＦ盤ＩＤ：００１で、運用時間は１００日（ｄａｙ）であることがわかる。そして、監視制御部１５１は、ＮＥ環境情報ＤＢ１５４を参照することにより、類似する環境に設置されている装置ＩＤおよびＩＦ盤ＩＤを検索する。例えば設置場所条件がＡで、温度：２０℃および湿度：８０％の環境に該当する装置ＩＤおよびＩＦ盤ＩＤは、装置ＩＤ：１１１のＩＦ盤１６３（ＩＤ：００１）と、装置ＩＤ：３３３のＩＦ盤１８３（ＩＤ：００１）であることがわかる。この場合、温度：２０℃の条件だけで検索すると、装置ＩＤ：２２２のＩＦ盤１７３（ＩＤ：００２）も検索結果として抽出される。このようにして、監視制御部１５１は、ＮＥ環境情報ＤＢ１５４を参照して、同様の環境（完全に一致している場合だけでなく、予め設定された所定範囲内の場合でも構わない）に設置されている装置ＩＤおよびＩＦ盤ＩＤを検索する。尚、各ＮＥの環境情報の中で設置場所条件については、各ＮＥを設置する際に保守端末１０６からオペレータが入力するようにしても構わないし、設置するＮＥに設置場所条件を記憶しておき、初期設置時に監視サーバ装置１０１に自動的に送信するようにしても構わない。また、各ＮＥは環境情報データベース（ＤＢ）を所有し、各ＮＥにおいても自装置の情報を蓄積し、逐次更新する。例えばＮＥ１０２（装置ＩＤ：１１１）の環境情報ＤＢ１６５には、図３（ｂ）に示すような環境情報が記憶され、この環境情報が監視サーバ装置１０１に送信されて、図３（ａ）のＮＥ環境情報ＤＢ１５４に反映される。同様に、ＮＥ１０３（装置ＩＤ：２２２）の環境情報ＤＢ１７５には図３（ｃ）に示すような環境情報が記憶され、ＮＥ１０４（装置ＩＤ：３３３）の環境情報ＤＢ１８５には、図３（ｄ）に示すような環境情報が記憶される。そして、これらの環境情報も監視サーバ装置１０１に送信されて、図３（ａ）のＮＥ環境情報ＤＢ１５４に反映される。
【００２７】
尚、温度や湿度および運用系のＩＦ盤ＩＤや運用時間などの環境情報は、適宜更新されるため、定期的或いは変化した時にＮＥ側から監視サーバ装置１０１に自動的に送信される。例えば、温度が２０℃から２５℃に変化した時や運用系がＩＦ盤ＩＤ：００１からＩＦ盤ＩＤ：００２に切り替わった時などに監視サーバ装置１０１に新たな温度情報とＩＦ盤ＩＤとを送信する。そして、監視サーバ装置１０１の監視制御部１５１は、各ＮＥから送られてくる環境情報をＮＥ環境情報ＤＢ１５４に蓄積する。尚、ＮＥ側から新たな環境情報を受信した場合は、当該ＮＥの前の環境情報を消去して新たな環境情報に更新する。尚、環境情報の取得方法については、監視サーバ装置１０１側から各ＮＥに対してポーリングするようにしても構わない。
【００２８】
パーツ故障統計情報ＤＢ１５５は、ＮＥで何らかの故障が発生した時にＮＥ側から監視サーバ装置１０１に送られてくる故障情報を蓄積するデータベースである。ここで、故障情報とは、ＮＥの装置ＩＤや故障発生日時および故障箇所（パーツ名など）などの情報を基本情報とし、これに故障発生時点の環境情報を付加しても構わない。図４の例では、ＮＥの装置ＩＤ，故障発生日時，故障したパーツ名の基本情報に加え、設置場所条件，温度，湿度，運用系のＩＦ盤ＩＤおよび運用時間などの環境情報が蓄積される。例えば図４において、装置ＩＤ：１１１（図１のＮＥ１０２に対応）は２００９年１２月１日（時間を含めても構わない）に故障が発生し、故障したパーツはパーツＡであることがわかる。さらに故障時点の環境は、設置場所条件：Ａ（海辺），温度：２０℃，湿度：８０％，運用系のＩＦ盤ＩＤ：００１および運用時間：１００日であることがわかる。また、図４の例では、同じパーツＡに類似する環境で故障が発生した履歴は他にないことがわかる。
【００２９】
このようにして、監視制御部１５１は、パーツ故障統計情報ＤＢ１５５を参照して、どのパーツが同じ環境条件で過去に何回故障しているかなどの解析を行うことができる。尚、これらの情報は、ＮＥで故障が発生する毎にＮＥ側から「故障警報」（上記の故障情報を含む）として監視サーバ装置１０１に送信され、図４のパーツ故障統計情報ＤＢ１５５に反映される。
【００３０】
次に、監視サーバ装置１０１の監視制御部１５１の構成について図１を用いて説明する。図１に示したように、監視制御部１５１は、同一パーツ検索部２０１と、同一環境検索部２０２と、故障統計解析部２０３と、パーツ故障予測部２０４と、予備切替指示部２０５と、情報更新部２０６と、保守端末通知部２０７と、通信部２０８とで構成される。
【００３１】
同一パーツ検索部２０１は、使用パーツ情報ＤＢ１５３を参照して、同一パーツが使用されているＮＥの装置ＩＤおよびＩＦ盤ＩＤを検索する。
【００３２】
同一環境検索部２０２は、ＮＥ環境情報ＤＢ１５４を参照して、同一環境条件下にあるＮＥの装置ＩＤおよびＩＦ盤ＩＤを検索する。
【００３３】
故障統計解析部２０３は、パーツ故障統計情報ＤＢ１５５を参照して、今までの故障履歴の中から同一パーツで故障が発生した履歴を抽出し、その時のＮＥの装置ＩＤやＩＦ盤ＩＤおよび環境情報を解析する。例えば、類似環境（同一の環境あるいは所定範囲内の類似した環境）で同じ部品に故障が発生したことがあるか否か、或いは過去に同じ故障が何回発生しているか（故障回数）などを解析する。
【００３４】
パーツ故障予測部２０４は、故障統計解析部２０３の解析結果から類似する故障の発生を予測し、故障する恐れのあるＮＥの装置ＩＤやＩＦ盤ＩＤを抽出する。例えば、パーツ故障予測部２０４は、類似故障の発生が予め設定した閾値以上の場合に同様の故障が発生する恐れがあると予測する。そして、同じパーツが同じ環境下で運用されているＮＥの装置ＩＤやＩＦ盤ＩＤを抽出する。
【００３５】
予備切替指示部２０５は、パーツ故障予測部２０４が予測したＮＥに対して、ＩＦ盤を運用系から予備系に切り替えるよう指示する。そして、予備切替指示部２０５は、ＮＥ側から予備切替完了の応答を受信すると、予備切替の完了を保守端末１０６に通知する。尚、本実施形態では、予備切替指示部２０５は、予備切替中の装置を把握するために、予備切替中一覧を作成して、ＮＥが予備切替を行う毎に更新する。
【００３６】
情報更新部２０６は、各ＮＥから送られてくるパーツ更新情報，環境更新情報，運用系から予備系への切り替え通知や切り戻し通知或いは故障警報などを受信する毎に、使用パーツ情報ＤＢ１５３，ＮＥ環境情報ＤＢ１５４およびパーツ故障統計情報ＤＢ１５５の情報を更新または追加する。
【００３７】
保守端末通知部２０７は、ＮＥのＩＦ盤の切り替えや切り戻しが完了する毎に監視サーバ装置１０１側から保守端末１０６に完了通知が送られ、保守端末１０６の画面に表示される。或いは、故障発生時に保守端末１０６に故障が発生したことを通知するようにしても構わない。また、予備切替中一覧が更新される毎に監視サーバ装置１０１側から保守端末１０６に予備切替中一覧を送信するようにしても構わない。
【００３８】
通信部２０８は、通信ＩＦ１５２で提供される物理レイヤに対して各ＮＥと情報や制御データを送受信する際のプロトコル制御などの通信処理を行う。例えば通信部２０８は、各ＮＥから受信する各種の情報は情報更新部２０６に出力し、予備切替指示部２０５が出力する制御データ（予備系への切替指示コマンド）を通信ＩＦ１５２を介して該当するＮＥに送信する。
【００３９】
このように、監視制御部１５１は構成され、配下のＮＥを監視および制御する。
［ＮＥの構成］
次に、各ＮＥの構成例について説明する。図１において、ＮＥ１０２，ＮＥ１０３およびＮＥ１０４は、使用されているＩＦ盤のパーツが異なるだけで基本構成は同じである。例えば、ＮＥ１０２（装置ＩＤ：１１１）は、制御部１６１と、通信ＩＦ１６２と、ＩＦ盤（ＩＤ：００１）１６３と、ＩＦ盤（ＩＤ：００２）１６４と、環境情報ＤＢ１６５と、設置情報ＤＢ１６６とで構成される。また、ＮＥ１０３（装置ＩＤ：２２２）は、制御部１７１と、通信ＩＦ１７２と、ＩＦ盤（ＩＤ：００１）１７３と、ＩＦ盤（ＩＤ：００２）１７４と、環境情報ＤＢ１７５と、設置情報ＤＢ１７６とで構成される。同様に、ＮＥ１０４（装置ＩＤ：３３３）は、制御部１８１と、通信ＩＦ１８２と、ＩＦ盤（ＩＤ：００１）１８３と、ＩＦ盤（ＩＤ：００２）１８４と、環境情報ＤＢ１８５と、設置情報ＤＢ１８６とで構成される。
【００４０】
以下、各部について説明するが、同名のブロックは同じ動作を行うので一括して各ブロックの動作について説明する。
【００４１】
制御部１６１，１７１および１８１は、予め記憶された制御用のプログラムに従って動作するコンピュータで構成され、各ＮＥ全体の動作を制御する。そして、自己の装置情報を管理すると共に故障検出、予備系への切り替え、装置情報の更新および監視サーバ装置１０１との間で情報や制御データの送受信を行う。
【００４２】
通信ＩＦ１６２，１７２および１８２は、制御部１６１，１７１および１８１が監視制御ネットワーク１０５を介して監視サーバ装置１０１と情報や制御データを送受信するための通信インターフェースを提供する。
【００４３】
ＩＦ盤（ＩＤ：００１）１６３，１７３および１８３は、例えば運用系として使用されるＩＦ盤で、ＮＥ本来の役目である伝送装置として、例えば光伝送路を介して上位ネットワークや下位装置に接続するための通信回路を構成する。また、冗長性を持たせるため同様のＩＦ盤（ＩＤ：００２）１６４，１７４および１８４を有しており、故障発生時に自動的に他方のＩＦ盤に切り替えることによって通信の途絶を避け、信頼性を高めている。これら２つのＩＦ盤は実際の通信に使用している方を運用系、実際の通信には使用せず故障発生時のために備えている方を予備系と称している。従って、ＩＦ盤のＩＤ：００１が運用系の場合はＩＦ：００２は予備系となり、逆にＩＦ盤のＩＤ：００２が運用系の場合はＩＦ：００１は予備系となる。尚、通常は、（ＩＤ：００１）のＩＦ盤が運用系となり、（ＩＤ：００２）のＩＦ盤は予備系となる。そして、運用系を予備系に切り替えることを予備切替、元に戻すことを予備切り戻しと称する。
【００４４】
環境情報ＤＢ１６５，１７５および１８５は、自装置の環境情報を蓄積するデータベースである。環境情報は、監視サーバ装置１０１のＮＥ環境情報ＤＢ１５４で説明した情報と同様の情報である。例えば自装置の設置場所条件や温度および湿度などの物理的情報や、運用系（実際に稼動中の系）のＩＦ盤ＩＤや当該ＩＦ盤の延べ運用時間などの情報である。
【００４５】
設置情報ＤＢ１６６，１７６および１８６は、自装置の情報を保持するデータベースである。例えば自装置のＩＦ盤毎に使用されているパーツ情報を保持する。パーツ情報は、監視サーバ装置１０１の使用パーツ情報ＤＢ１５３で説明したように、パーツ名やシリアル番号或いは製造日やロット（ＬＯＴ）番号などである。例えば、ＮＥ１０２のＩＦ盤１６３（ＩＤ：００１）およびＩＦ盤１６４（ＩＤ：００２）は、パーツＡ，パーツＢおよびパーツＣが使用されている。これに対して、ＮＥ１０３のＩＦ盤１７３（ＩＤ：００１）およびＩＦ盤１７４（ＩＤ：００２）は、パーツＡ，パーツＢおよびパーツＤが使用されている。また、ＮＥ１０４のＩＦ盤１８３（ＩＤ：００１）およびＩＦ盤１８４（ＩＤ：００２）は、パーツＡおよびパーツＢのみが使用されている。
【００４６】
次に、各ＮＥの制御部１６１，１７１および１８１の構成について説明する。尚、制御部１６１，１７１および１８１は同じ構成なので、ここでは、ＮＥ１０４の制御部１８１の構成について説明する。
【００４７】
制御部１８１は、故障検出部３０１と、予備切替部３０２と、情報更新部３０３と、通信部３０４と、予備切り戻し部３０５とで構成される。
【００４８】
故障検出部３０１は、ＮＥ１０４の運用系のＩＦ盤１８３（ＩＤ：００１）の動作を常にモニタし、異常を検出した場合は故障が発生したと判断する。例えば光信号の入出力レベルや通信エラーなど常にモニタし、レベル異常やエラー量などが予め設定した閾値を超えた時に故障が発生したと判断する。そして、回路各部に設けられた信号をモニタすることにより、故障部位（回路ブロックやパーツなど）を特定する。尚、故障検出部３０１は、故障の発生を検出すると、故障警報を通信部３０４により通信ＩＦ１８２および監視制御ネットワーク１０５を介して監視サーバ装置１０１に通知する。また、故障発生時には、故障検出部３０１から予備切替部３０２に運用系のＩＦ盤の故障発生を出力し、予備切替部３０２は自動的にＩＦ盤を予備系に切り替え、通信が停止しないように制御する。ここで、本実施形態に係る監視制御ネットワークシステム１００では、各ＮＥ側から監視サーバ装置１０１に通知する故障警報には、故障部位の情報や環境情報なども含まれているものとする。
【００４９】
予備切替部３０２は、故障検出部３０１が故障を検出した時に、運用系であったＩＦ盤１８３（ＩＤ：００１）を予備系のＩＦ盤１８４（ＩＤ：００２）に切り替え、ＩＦ盤１８４（ＩＤ：００２）を運用系とする。特に本実施形態に係る監視制御ネットワークシステム１００では、監視サーバ装置１０１からの制御データ（予備切替指示コマンド）を受信した場合も予備系のＩＦ盤に切り替える動作を行う。
【００５０】
情報更新部３０３は、ＮＥ１０４の環境情報に変化があった時に、環境情報ＤＢ１８５に蓄積されている環境情報を更新する。また、保守者がＩＦ盤を取り替えた場合も、新たなＩＦ盤のパーツ情報（製造年月日，シリアル番号，ロット番号および稼働時間など）を更新する。或いは、温度や湿度などの環境情報については定期的に測定して環境情報ＤＢ１８５の記憶内容を更新するようにしても構わない。そして、情報更新部３０３は、上記の情報を更新する度に、新しい情報を通信部３０４により通信ＩＦ１８２および監視制御ネットワーク１０５を介して監視サーバ装置１０１側に送信する。
【００５１】
通信部３０４は、通信ＩＦ１８２で提供される物理レイヤに対して監視サーバ装置１０１と情報や制御データを送受信する際のプロトコル制御などの通信処理を行う。例えば通信部３０４は、監視サーバ装置１０１から受信する制御データ（予備切替指示コマンドなど）を予備切替部３０２に出力し、予備切替部３０２は例えば運用系であったＩＦ盤（ＩＤ：００１）を予備系のＩＦ盤（ＩＤ：００２）に切り替え、ＩＦ盤（ＩＤ：００２）を運用系として稼動する。
【００５２】
予備切り戻し部３０５は、予備系に切り替えられたＩＦ盤を元に戻す処理を行う。
【００５３】
このようにして、ＮＥ１０４は、故障検出や故障発生時または監視サーバ装置１０１の指令により予備系へ切り替える。尚、ＮＥ１０４の制御部１８１の構成について説明したが、ＮＥ１０２の制御部１６１およびＮＥ１０３の１７１についてもＮＥ１０４の制御部１８１と同様に、故障検出部３０１と、予備切替部３０２と、情報更新部３０３と、通信部３０４と、予備切り戻し部３０５で構成される。以下の説明では、これらの構成および符号は、制御部１６１，１７１および１８１の全てに共通に用いるものとし、例えば制御部１６１の故障検出部３０１、制御部１７１の故障検出部３０１のように記述する。
［故障発生時の監視制御ネットワークシステム１００全体の処理］
次に、故障発生時における監視制御ネットワークシステム１００全体の処理の流れについて説明する。図５は、ＮＥ１０２（装置ＩＤ：１１１）のＩＦ盤１６３（ＩＤ：００１）のパーツＢで故障が発生した場合の処理の流れを示すフローチャートである。
【００５４】
図５において、先ずＮＥ１０２側の処理は、制御部１６１の故障検出部３０１が故障発生を検出した時の処理で、制御部１６１の故障検出部３０１は、監視サーバ装置１０１に「故障警報（故障警報には故障パーツ情報や環境情報および日時などを含むものとする）」を送信する（ステップＳ１０１）。そして、自動的に予備系に切り替えて予備切替中モードに移行し（ステップＳ１０２）、環境情報ＤＢ１６５および設置情報ＤＢ１６６の内容を更新する（ステップＳ１０３）。例えば運用系と予備系のＩＦ盤ＩＤの情報を更新する。
【００５５】
一方、図５において、監視サーバ装置１０１側の処理は、通信部２０８はＮＥ１０２側から「故障警報」を受信した時の処理で、受信した「故障警報」は通信部２０８から情報更新部２０６に出力され、情報更新部２０６はパーツ故障統計情報ＤＢ１５５に故障履歴を追加する（ステップＳ２０１）。尚、監視制御部１５１は、故障発生を保守端末１０６に通知するようにしても構わない。この時の処理の様子を図６に示す。尚、図６は図１と同じ監視制御ネットワークシステム１００の全体構成図である。
【００５６】
そして、図５において、同一パーツ検索部２０１は、通知された故障情報に含まれる故障パーツと同一のパーツが使用されているＮＥの装置ＩＤおよびＩＦ盤ＩＤを検索する（ステップＳ２０２）。例えば図７において、使用パーツ情報ＤＢ１５３を参照して、故障が発生したパーツＢ（装置ＩＤ：１１１のＩＦ盤ＩＤ：００１）と同じパーツＢが使用されている装置ＩＤおよびＩＦ盤ＩＤを検索すると、装置ＩＤ：１１１のＩＦ盤ＩＤ：００２と、装置ＩＤ：２２２のＩＦ盤ＩＤ：００１と、装置ＩＤ：３３３のＩＦ盤ＩＤ：００１と、装置ＩＤ：３３３のＩＦ盤ＩＤ：００２の４つが抽出される。この場合、ロット番号が同じ且つＩＦ盤ＩＤが同じパーツＢという条件を用いると、装置ＩＤ：３３３のＩＦ盤ＩＤ：００１のパーツＢだけが該当する。このようにして、同一パーツ検索部２０１は、使用パーツ情報ＤＢ１５３を参照して、同様のパーツが使用されている装置ＩＤおよびＩＦ盤ＩＤを検索することができる。
【００５７】
次に、図５において、同一環境検索部２０２は、通知された故障情報に含まれる環境情報と同一または類似する環境情報のＮＥの装置ＩＤおよびＩＦ盤ＩＤを検索する（ステップＳ２０３）。例えば図８において、ＮＥ環境情報ＤＢ１５４を参照して、故障が発生したＮＥ１０２（装置ＩＤ：１１１）と同じ環境条件（設置場所条件：Ａ，温度：２０℃，湿度：８０％，運用系のＩＦ盤ＩＤ：００１，運用時間：１００日）の環境の装置ＩＤを検索すると、ＮＥ１０４（装置ＩＤ：３３３）のＩＦ盤１８３（ＩＤ：００１）が抽出される。このようにして、監視制御部１５１の同一環境検索部２０２は、ＮＥ環境情報ＤＢ１５４を参照して、同様の環境下で運用している装置ＩＤおよびＩＦ盤ＩＤを検索することができる。ここで、環境情報は必ずしも完全に一致する必要はなく、例えば温度や湿度であれば±５％以内であれば類似していると判断するようにしても構わない。
【００５８】
次に、図５において、故障統計解析部２０３は、パーツ故障統計情報ＤＢ１５５を参照して、通知された故障情報と同じまたは類似する故障情報が過去の故障履歴にあるか否かを検索する。同時に、故障回数も調べる（ステップＳ２０４）。例えば図９において、パーツ故障統計情報ＤＢ１５５を参照して、故障が発生したパーツＢが同じ環境条件で過去に起こした故障を検索すると、２００９年１２月２日と、２００９年１２月３日と、２００９年１２月１２日とに同じパーツＢが同じ環境条件下で故障を起こしていることがわかる。このようにして、監視制御部１５１の故障統計解析部２０３は、故障が発生したパーツが同じ環境条件（または類似する環境条件）で過去に起こした故障があるか否かを検索し、その故障回数を知ることができる。
【００５９】
次に、図５において、パーツ故障予測部２０４は、故障が発生したパーツと同じパーツが同様の環境条件化で使用されているＮＥのＩＦ盤で同じような故障が発生する恐れがあるか否かを判別する（ステップＳ２０５）。例えば、パーツ故障予測部２０４は、ステップＳ２０４で解析した故障回数が予め設定した閾値以上であるか否かを判別する。そして、予め設定した閾値未満の場合は故障可能性無しとしてそのまま本処理を終了する。一方、故障回数が閾値以上の場合は、パーツ故障予測部２０４は、ステップＳ２０２およびステップＳ２０３の両方で抽出されたＮＥの装置ＩＤおよびＩＦ盤ＩＤがある場合は、これらのＮＥの装置ＩＤおよびＩＦ盤ＩＤに対応するＩＦ盤で同様の故障が発生する可能性が高いと判断し、ステップＳ２０６に進む。例えば故障回数の閾値を３回とした場合、図９の例では故障が発生したパーツＢと同じ条件下の故障発生回数は３回なので、ステップＳ２０２（図７）とステップＳ２０３（図８）の両方に該当する装置ＩＤおよびＩＦ盤ＩＤがある場合はそのＩＦ盤で同様の故障が発生する可能性が高いと判断する。先に説明した図７および図８の例では、パーツ故障予測部２０４は、ＮＥ１０４（装置ＩＤ：３３３）が該当し、このＩＦ盤１８３（ＩＦ盤ＩＤ：００１）が同様の故障を起こす可能性が高いと判断する。
【００６０】
そして、予備切替指示部２０５は、パーツ故障予測部２０４が予測したＮＥ１０４（装置ＩＤ：３３３）に対して予備切替指示コマンドを送信し、ＮＥ１０４から予備切り替え完了応答を受信する（ステップＳ２０６）。これを受けて情報更新部２０６は、各データベース上の当該ＮＥのＩＦ盤の情報（運用系と予備系の入れ替えなどの情報）を更新したり、予備切替中一覧を作成する場合はこれに追加する（ステップＳ２０７）。そして、ＮＥ１０４（装置ＩＤ：３３３）が予備系に切り替えられたことを保守端末１０６に通知して保守者に知らせる（ステップＳ２０８）。
【００６１】
この時、ＮＥ１０２側では、図５に示すように、監視サーバ装置１０１側から予備切替指示を受信した時の処理が実行される。制御部１８１の予備切替部３０２が監視サーバ装置１０１側から予備切替指示を受信すると、運用系のＩＦ盤１８３（ＩＦ盤ＩＤ：００１）から予備系のＩＦ盤１８４（ＩＦ盤ＩＤ：００２）に切り替え、予備切替中モードに移行する（ステップＳ３０１）。この時の処理の様子を図１０に示す。尚、図１０は図１および図６と同じ監視制御ネットワークシステム１００の全体構成図である。そして、制御部１８１の予備切替部３０２は、予備切替が完了したことを示す応答を監視サーバ装置１０１側に送信する（ステップＳ３０２）。同時に、制御部１８１の情報更新部３０３は、予備切替に伴う環境情報ＤＢ１６５および設置情報ＤＢ１６６の内容を更新する（ステップＳ３０３）。例えば運用系と予備系のＩＦ盤ＩＤの情報を更新する。
【００６２】
このようにして、監視サーバ装置１０１は、故障発生時に同様の故障が発生する可能性が高いＮＥを検索して、当該ＮＥに対して予備系に切り替えるよう指示するので、未然に故障発生を防止することができ、通信の信頼性が向上する。
【００６３】
尚、ステップＳ２０８で保守者に通知があったことを受けて、保守者は故障予測によって予備系に切り替えられたＮＥ１０４の予備切り替え前のＩＦ盤１８３（ＩＤ：００１）を新しい基盤に取り替える作業を行う。そして、故障発生の可能性が高かったＩＦ盤１８３（ＩＤ：００１）が新しいＩＦ盤１８３’（ＩＤ：００１）に取り替えられた後、先に予備切替を行ったＩＦ盤１８４（ＩＤ：００２）から新しいＩＦ盤１８３’（ＩＤ：００１）に戻す処理（予備切り戻し処理）を実行する。
【００６４】
次に、予備切り戻し処理について図１１を用いて説明する。ＮＥ１０４側では、図１１に示すように、保守者が新しい基盤に取り替える作業を行った時の処理が実行される。ＮＥ１０４の制御部１８１の予備切り戻し部３０５は、新たなＩＦ盤に取り替えられたことを検出すると、予備切替中モードを解除し、取り替えられたＩＦ盤（ＩＤ：００１）を再び運用系に切り替える切り戻し処理を行う（ステップＳ１１１）。そして、情報更新部３０３は、ＮＥ１０４の設置情報ＤＢ１８６や環境情報ＤＢ１８５に対して、新たに取り付けられたＩＦ盤１８３'の情報や運用系のＩＦ盤のＩＤ情報などを更新する（ステップＳ１１２）。そして、予備切り戻しの完了通知および更新情報などを監視サーバ装置１０１側に送信する（ステップＳ１１３）。これを受けた監視サーバ装置１０１は、予備切り戻しの完了通知を受信した時の処理を実行する。例えば、ＮＥ１０４に関する使用パーツ情報ＤＢ１５３やＮＥ環境情報ＤＢ１５４の情報を新たに取り付けられたＩＦ盤１８３'の情報に更新したり、予備切替中一覧からＮＥ１０４の情報を削除する（ステップＳ２１１）。そして、監視サーバ装置１０１は、予備切り戻し完了通知を保守端末１０６に通知する（ステップＳ２１２）。これにより、保守端末１０６にＮＥ１０４の予備切り戻し完了が表示され、保守者はＮＥ１０４の保守が完了したことを確認できる。この時の処理の様子を図１２に示す。尚、図１２は図１，図６および図１０と同じ監視制御ネットワークシステム１００の全体構成図である。
【００６５】
このようにして、本実施形態に係る監視制御ネットワークシステム１００は、ＮＥの故障発生時に同様の故障が他のＮＥで発生する可能性があるか否かを予測し、故障発生の可能性が高いＮＥに対して事前に予備系への切り替えを指示するので、故障発生を未然に防止することができ、適切に保守を行うことができる。これにより、伝送装置の信頼性を高めることができる。
【００６６】
また、本実施形態に係る監視制御ネットワークシステム１００は、各ＮＥ内の個別パーツの情報を管理することが可能で、人為的に故障判断をする必要がなくなり、保守を容易に行うことができる。また、監視サーバ装置１０１の各データベースは、故障時や定期的に逐次更新されるので各ＮＥの環境情報などを確認できる。
【００６７】
尚、上記の実施形態に係る監視制御ネットワークシステム１００では、１台の監視サーバ装置１０１が３つのＮＥ１０２，ＮＥ１０３およびＮＥ１０４を監視制御し、１台の保守端末１０６に通知する構成にしたが、複数台の監視サーバ装置が連携して動作するようにしても構わない。例えば各ＮＥのパーツ情報だけを管理するサーバと、各ＮＥの環境情報だけを管理するサーバと、故障発生の履歴を蓄積するサーバと、故障予測を行うサーバとに分けても構わない。或いは、地域毎にＮＥを監視および制御する地域監視サーバと、複数の地域の地域監視サーバを統括する統括監視サーバとを設けても構わない。また、保守端末１０６も１台である必要はなく、複数台の保守端末を配置しても構わない。さらに、監視サーバ装置１０１が監視および制御する配下のＮＥの台数も３台である必要はないし、異なる種類の伝送装置などを監視および制御するようにしても構わない。また、本実施形態ではＩＦ盤の監視を行うようにしたが、ＩＦ盤に限らず電源盤やＦＡＮ盤など他の回路基盤を含めて監視するようにしても構わない。いずれの場合でも、故障発生時に同じ部品が類似する環境で使用されている回路基盤で同様の故障が発生する可能性が高いと予測することができる。尚、ＩＦ盤のように冗長系を有しない電源盤やＦＡＮ盤の場合であっても、予備系への切替指示をＮＥに送信する代わりに、故障発生予測を保守端末１０６に通知することによって保守者は事前に電源盤やＦＡＮ盤を交換することができるので、伝送装置の故障発生を防止する効果が得られる。
【００６８】
以上、本発明に係る監視制御ネットワークシステムについて、実施例を挙げて説明してきたが、その精神またはその主要な特徴から逸脱することなく他の多様な形で実施することができる。そのため、上述した実施例はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００６９】
１００・・・監視制御ネットワークシステム
１０１・・・監視サーバ装置
１０２、１０３、１０４・・・ＮＥ
１０５・・・監視制御ネットワーク
１０６・・・保守端末
１５１・・・監視制御部
１５２・・・通信ＩＦ
１５３・・・使用パーツ情報ＤＢ
１５４・・・ＮＥ環境情報ＤＢ
１５５・・・パーツ故障統計情報ＤＢ
２０１・・・同一パーツ検索部
２０２・・・同一環境検索部
２０３・・・故障統計解析部
２０４・・・パーツ故障予測部
２０５・・・予備切替指示部
２０６・・・情報更新部
２０７・・・保守端末通知部
２０８・・・通信部
１６１，１７１，１８１・・・制御部
１６２，１７２，１８２・・・通信ＩＦ
１６３，１７３，１８３・・・ＩＦ盤（ＩＤ：００１）
１６４，１７４，１８４・・・ＩＦ盤（ＩＤ：００２）
１６５，１７５，１８５・・・環境情報ＤＢ
１６６，１７６，１８６・・・設置情報ＤＢ
３０１・・・故障検出部
３０２・・・予備切替部
３０３・・・情報更新部
３０４・・・通信部
３０５・・・予備切り戻し部
【図１】
2011138251.tif 000003
【図２】
2011138251.tif 000004
【図３】
2011138251.tif 000005
【図４】
2011138251.tif 000006
【図５】
2011138251.tif 000007
【図６】
2011138251.tif 000008
【図７】
2011138251.tif 000009
【図８】
2011138251.tif 000010
【図９】
2011138251.tif 000011
【図１０】
2011138251.tif 000012
【図１１】
2011138251.tif 000013
【図１２】
2011138251.tif 000014